【手続補正書】
【提出日】平成22年6月4日(2010.6.4)
【手続補正１】
【補正対象書類名】明細書
【補正対象項目名】全文
【補正方法】変更
【補正の内容】
【発明の詳細な説明】
【発明の名称】トレーニング装置
【技術分野】
【０００１】
本発明は、身体をねじって筋肉を鍛えるためのトレーニング装置に係り、特に、腰と腕を逆方向に強制的に往復回動させることにより筋肉を鍛えるためのトレーニング装置の改良に関する。
【背景技術】
【０００２】
従来より、座部に腰掛けた状態で筋肉を鍛えるための様々なトレーニング装置として、例えば、特許文献１乃至特許文献３に示すようなトレーニング装置が開発されている。そのようなトレーニング装置の中には、腰と腕を逆方向に強制的に往復回動させて筋肉を鍛えるためのものがある。この種のトレーニング装置の従来のものを図１１により説明する。
【０００３】
図１１において、トレーニング装置は、装置本体１の前方に配設された腰掛け２を有している。この腰掛け２は、座部３とこの座部３の後部に位置する腰支持部４とを有している。この腰掛け２は、図示しない鉛直方向軸を介して前記装置本体１により往復回動しうるように支持されている。また、前記腰掛け２の座部３の前部には、前方に突出する突出部５が突設されており、この突出部５には、円柱状のフロントパッド６が固着されている。このフロントパッド６は、使用者が腰掛け２の座部３に着座した状態で両足の太ももで挟持することにより、腰掛け２の回動の際の身体の位置ずれを防止するための役割を果たすためのものである。
【０００４】
前記腰掛け２の腰支持部４の背部には、後述する鉛直方向軸８に固定されているローラ７が前記腰支持部４より上方に臨むように配設されている。このローラ７は使用者の背中を支持する背もたれの役割を果たすものである。
【０００５】
前記ローラ７の背部には、前記装置本体１により往復回動しうるように支持されており前記ローラ７を支持する他の鉛直方向軸８が配設されている。この鉛直方向軸８には、使用者が両手で把持するための１対のハンドル９Ｒ，９Ｌ（以下符号９で総称する）が支持されている。前記両ハンドル９は、前記鉛直方向軸８からまず左右両側に延在し、その後、それぞれ前方に延在し、最終的に上向きに彎曲しており、使用者が右腕および左腕をそれぞれ上向きにして把持できるようになっている。
【０００６】
前記装置本体１内には、正逆回転可能な図示しないモータが配設されており、このモータの駆動により前記腰掛け２および両ハンドル９は相互に逆方向に往復回動するようになっている。
【０００７】
なお、一例として、前記腰掛け２はそれぞれ左右に１５度ずつ回動し、また、ハンドル９は左右に４０度ずつ回動するようになっている。また、前述したように前記腰かけ２と前記ハンドル９とは相互に逆方向に回動されるので、使用者の身体は左右に合計１１０度ねじられることになる。
【０００８】
また、前記腰掛け２の座部３の前端からは支持板１０を介して足置き板１１が垂設されている。さらに、前記装置本体１の前部下部には、１対の支持アーム１２Ｒ，１２Ｌが相互に拡開する方向に突出されており、装置本体１の転倒を防止するようになっている。また、一方の支持アーム１２Ｒの先端部には、支持ロッド１３を介して操作パネル１４が立設されている。
【先行技術文献】
【特許文献】
【０００９】
【特許文献１】特開平０７−１７８１９７号公報
【特許文献１】特開平１０−１７３８３３号公報
【特許文献２】特開２００４−１１３４１０号公報
【発明の開示】
【発明が解決しようとする課題】
【００１０】
しかしながら、前述した従来のトレーニング装置において、腰掛け２の前端部にはフロントパッド６が固着されていたため、トレーニング装置の腰掛けに対する乗り降りが難しく、特に、お年寄りにはやっかいであった。
【００１１】
また、操作パネル１４のメインスイッチやスタートスイッチを押すことにより、トレーニング装置に人が乗っていない状態で腰掛け２やハンドル９が回動を始めるおそれがあった。
【００１２】
そこで、本発明は、トレーニング装置の腰掛けに対する乗り降りが簡単で、しかも、誤作動を防止することにできるトレーニング装置を提供することを目的としている。
【課題を解決するための手段】
【００１３】
前述した目的を達成するため、本発明の請求項１に係るトレーニング装置の特徴は、座部の前端部に使用者が両太ももにより挟持するフロントパッドを備えている腰掛けと、使用者により把持される１対のハンドルと、前記腰掛けおよび前記両ハンドルをそれぞれ鉛直方向軸を中心として相互に逆方向に往復回動させる駆動部とを有するトレーニング装置において、前記フロントパッドを前記腰掛けに対し着脱可能に形成するとともに、前記フロントパッドを前記腰掛けに装着した際に前記駆動部を駆動可能となるように制御するスイッチを設けた点にある。そして、このような構成を採用したことにより、トレーニング装置の腰掛けに対する乗り降りをフロントパッドを抜いておくことにより簡単に行うことができるし、また、フロントパッドを抜いておくことにより、誤作動を防止することができる。
【００１４】
本発明の請求項２に係るトレーニング装置の特徴は、前記駆動部の制御を行う制御部に、前記スイッチの状態を検出する検出部と、この検出部からの前記スイッチがＯＮであるという検出信号により前記駆動部を駆動可能とする演算司令部を設けた点にある。そして、このような構成を採用したことにより、フロントパッドを抜いておくことにより検出部から演算司令部にスイッチがＯＮであるという検出信号が出力されないので、誤作動を防止することができる。
【００１５】
本発明の請求項３に係るトレーニング装置の特徴は、前記フロントパッドが、支持軸に支持されているクッションにより構成されており、前記腰掛けの座部には、前記支持軸を挿入する筒状穴が形成され、この穴内に前記スイッチが配設されている点にある。そして、このような構成を採用したことにより、フロントパッドの挿脱を簡単に行うことができる。
【発明の効果】
【００１６】
本発明によれば、トレーニング装置の腰掛けに対する乗り降りが簡単で、しかも、誤作動を防止することにできる。
【００１７】
すなわち、座部の前端部に使用者が両太ももにより挟持するフロントパッドを備えている腰掛けと、使用者により把持される１対のハンドルと、前記腰掛けおよび前記両ハンドルをそれぞれ鉛直方向軸を中心として相互に逆方向に往復回動させる駆動部とを有するトレーニング装置において、前記フロントパッドを前記腰掛けに対し着脱可能に形成するとともに、前記フロントパッドを前記腰掛けに装着した際に前記駆動部を駆動可能となるように制御するスイッチを設けたので、トレーニング装置の腰掛けに対する乗り降りをフロントパッドを抜いておくことにより簡単に行うことができるし、また、フロントパッドを抜いておくことにより、誤作動を確実に防止することができる。そして、使用者は、フロントパッドを太ももで挟持することにより、安定した姿勢を保持でき、筋力を鍛えることができる。
【００１８】
また、前記駆動部の制御を行う制御部に、前記スイッチの状態を検出する検出部と、この検出部からの前記スイッチがＯＮであるという検出信号により前記駆動部を駆動可能とする演算司令部を設ければ、フロントパッドを抜いておくことにより検出部から演算司令部にスイッチがＯＮであるという検出信号が出力されないので、誤作動を確実に防止することができる。
【００１９】
さらに、前記フロントパッドが、支持軸に支持されているクッションにより構成されており、前記腰掛けの座部には、前記支持軸を挿入する筒状穴が形成され、この穴内に前記スイッチが配設されているようにすれば、フロントパッドの挿脱を簡単に行うことができ、腰掛けに対する乗り降りを簡単に行うことができるし、誤作動を確実に防止することができる。
【発明を実施するための最良の形態】
【００２０】
図１ないし図１０は本発明に係るトレーニング装置の実施形態を示すものであり、前述した従来のものと同一あるいは相当する構成については、図面中に同一の符号を付し、その説明は省略する。
【００２１】
図１に示すトレーニング装置の装置本体１内には、図２および図３に詳示するように、鉛直方向に延在する回動軸２０が軸受２１，２１により回動自在に支持されている。この回動軸２０の上端には、腰掛け２の座部３の基板２２が固定されている。
【００２２】
前記基板２２には、図４ないし図６に詳示するように、この基板２２より前方に突出するフロントパッド受け板２３が固定されており、このフロントパッド受け板２３には、フロントパッド６を着脱可能に支持するための有底の円筒形穴２４が形成されている。なお、この円筒形穴２４の底には、前記フロントパッド６により押動されるスイッチ５３（図１０）が配設されている。
【００２３】
前記フロントパッド６は、図７に詳示するように、前記円筒形穴２４内に挿入される支持軸２５と、この支持軸２５に支持される支持軸２５より大径のクッション２６と、このクッション２６の抜け止め用のプラグ２７とにより構成されている。
【００２４】
図５に戻って、前記腰掛け２の座部３の基板２２およびフロントパッド受け板２３の上面には、前記円筒形穴２４の上方を除いてクッション２８が張設されている。
【００２５】
図２および図３に戻って、前記回動軸２０には、この回動軸２０に対し独立して回動可能とされている１対の回動筒２９Ａ，２９Ｂが回動軸の上下方向に間隔を隔てて嵌合されている。
【００２６】
前記両回動筒２９Ａ，２９Ｂ間には、下方の回動筒２９Ａの回動を上方の回動筒２９Ｂに伝達するためのリンク３０が介装されている。また、上方の回動軸２９Ｂには、トレーニング装置の後方に延在する水平方向軸３１が突設されている。この水平方向軸３１の先端には、水平方向軸３１より上方に延在する鉛直方向軸８が突設されている。
【００２７】
前記両回動軸２０および回転筒２９Ａを回動させるための駆動部としてのモータ３２が前記装置本体１内に配設されている。このモータ３２は、正逆両方向に速度調整可能で回転されるギアモータとされており、このモータ３２の回転軸３３の両端部には、それぞれ板体３４Ｒ，３４Ｌが相互に面対称となるように支持されている。また、前記各板体３４Ｒ，３４Ｌには、前記回転軸３３の回転方向において相互に等しい位置に偏心ピン３５Ｒ，３５Ｌが固定されている。
【００２８】
一方、前記回動軸２０の下端部には、前記トレーニング装置の正面に向いて右側に板体３６Ｒが嵌着されており、この板体３６Ｒと前記回動軸２０とは一体に回動しうるようになっている。また、前記回動筒２９Ａの下端部には、前記トレーニング装置の正面に向いて左側に板体３６Ｌが嵌着されており、この板体３６Ｌと前記回動筒２９Ａとは一体に回動しうるようになっている。
【００２９】
そして、前記偏心ピン３５Ｒと板体３６Ｒとの間には、駆動力を伝達するためのリンク３７Ｒが介装されており、また、前記偏心ピン３５Ｌと板体３６Ｌとの間には、駆動力を伝達するためのリンク３７Ｌが介装されている。
【００３０】
したがって、前記モータ３２をいずれかの方向に回動させると、前記回動軸２０と前記回動筒２９Ａとは相互に逆方向に回動されるようになっている。
【００３１】
なお、前記モータ３２の回動角および回動速度は、後述する制御部からの制御信号により一例として７段階に制御されるようになっている。なお、この回動角および回動速度の制御は、前述した７段階のみに限定されるものではなく、種々の段階に制御することが可能である。また、所望の回動角および回動速度を設定するためには、操作パネル１４を操作して行うことができる。この操作パネル１４においては、回動角としては、広い、普通、狭いの３種類が設定可能とされており、また、回動速度としては、速い、普通、遅いの３種類が設定可能とされている。なお、この回動角ならびに回動速度は操作パネル１４を使用して変更可能とされている。
【００３２】
図１に戻って、前記鉛直方向軸８の上端には、使用者が両手で把持するための１対のハンドル９Ｒ，９Ｌが支持されている。前記両ハンドル９Ｒ，９Ｌは、前記鉛直方向軸８からまず左右両側に延在し、その後、それぞれ前方に延在し、最終的に上向きに彎曲しており、使用者が右腕および左腕をそれぞれ上向きにして把持できるようになっている。そして、前記各ハンドル９Ｒ，９Ｌには、使用者が各ハンドル９Ｒ，９Ｌの先端部を把持した状態において、使用者の各上腕部が載置される載置部３８Ｒ，３８Ｌが固定されている。
【００３３】
また、前記鉛直方向軸８には、前記両ハンドル９と一体に背中支持部４０が固定されている。
【００３４】
前記背中支持部４０は、図８および図９に示すように、発泡ウレタンをビニールレザーのような表皮４１により被覆してなる支持部４２を有しており、この支持部４２の前面が面状の支持面４３とされている。前記支持部４２の裏面４４は平板状とされており、この支持部４２の裏面４４には、この裏面４４と同形の平板４５が取付けられている。
【００３５】
一方、前記鉛直方向軸８の上端には、前記背中支持部４０の平板４５と同形の保持板４６が突設されており、この保持板４６に前記平板４５が固定されている。
【００３６】
前記背中支持部４０は、平面状の支持面４３Ｃを備え、背中を支持する中央部４７Ｃと、この中央部４７Ｃの両側に連接され中央部４７Ｃと約１１５度の角度をもって接する両側部４７Ｒ，４７Ｌとを有している。各側部４７Ｒ，４７Ｌは、前記中央部４７Ｃの支持面４３Ｃと彎曲して連接されている平面状の支持面４３Ｒ，４３Ｌを有しており、これらの支持面４３Ｒ，４３Ｌは、使用者の体側を支持するようになっている。
【００３７】
前記背中支持部４０の各側部４７Ｒ，４７Ｌは、前記中央部４０との連接部位において前記中央部の高さより低く形成されており、さらに、各側部４７Ｒ，４７Ｌの先端に至るにつれて高さが漸減されるようになっている。したがって、前記背中支持部４０の各側部４７Ｒ，４７Ｌが使用者の脇の下に確実に入り込むことができるようになっている。
【００３８】
なお、腰支持部４も前記背中支持部４０と同様の材質により形成されており、この腰支持部４は、腰を支持する中央部４８Ｃと、この中央部４８Ｃの両側に連接され中央部４８Ｃと約１１５度の角度をもって接する両側部４８Ｒ，４８Ｌとを有している。
【００３９】
図１０は、前記モータ３２の駆動を制御するための制御部を示すものである。この制御部は、ＣＰＵ５０を有しており、このＣＰＵ５０には、演算司令部５１が設けられており、この演算司令部５１には、メインスイッチや各設定ボタンなどを備えている操作パネル１４が接続されている。また、前記演算司令部５１には、前記操作パネル１４により設定したモータ３２の制御状態を記憶するメモリ５２が接続されている。そして、前記演算司令部５１から前記モータ３２に制御信号が出力されるようになっている。
【００４０】
また、前記演算司令部５１には、前記フロントパッド６の押動によりＯＮされる前記スイッチ５３の状態を検出する検出部５４が接続されている。
【００４１】
つぎに、前述した構成からなる本実施形態の作用について説明する。
【００４２】
トレーニング装置の使用者は、腰掛け２の突出部５の円筒形穴２４からフロントパッド６が外されている状態において、腰掛け２の座部３に着座する。このとき、フロントパッド６が外されているため、簡単に着座することができる。そして、使用者が着座した後に前記円筒形穴２４にフロントパッド６の支持軸２５を挿入する。すると、支持軸２５の先端が円筒形穴２４内にあるスイッチ５３を押動するので、このスイッチ５３はＯＮになる。
【００４３】
そこで、使用者が操作パネル１４のメインスイッチ（図示せず）を押動すると、図１０におけるＣＰＵ５０の検出部５４が、フロントパッド６によるスイッチ５３がＯＮであることを検出して、この検出信号を演算司令部５１に出力する。
そこで、使用者が、操作パネル１４を操作して、回動角度ならびに回動速度を任意の状態に設定してスタートボタンを押すと、モータ３２が駆動を開始して、腰掛け２および腰支持部４と、１対のハンドル９Ｒ，９Ｌおよび背中支持部４０とが相互に逆方向に連続して回動することになる。
【００４４】
このとき、使用者はフロントパッド６を両足の太ももで挟持することにより、腰掛け２の回動の際の身体の位置ずれを防止することができる。また、使用者の背中から脇の下にかけては、背中支持部４０の中央部４７Ｃおよび両側部４７Ｒ，４７Ｌにより包まれるように支持されているので、使用者の上半身が背中支持部４０からずれることがなく、使用者は身体を安定的にねじって、筋肉を鍛えることができる。
【００４５】
なお、使用者がトレーニング装置から降りるときに、フロントパッド６を外しておけば、簡単に降りることができる。また、フロントパッド６を外しておくことにより、メインスイッチがＯＮとなっても、トレーニング装置が誤作動することはない。
【００４６】
以上説明したように、本実施形態によれば、フロントパッド６は着脱可能なので、トレーニング装置の腰掛け２に対する乗り降りをフロントパッド６を抜いておくことにより簡単に行うことができる。また、フロントパッド６を抜いておくと、スイッチ５３がＯＦＦになっているので、誤ってメインスイッチをＯＮにしても検出部５４は演算司令部５１にスイッチ５３がＯＮであるという検出信号を送らないので、モータ３２が誤作動するおそれはない。
【００４７】
一方、ハンドル９Ｒ，９Ｌと一体に回動する背中支持部４０が設けられているので、使用者の上半身を安定的に支持することができ、使用者は安定的に身体をねじって筋肉を鍛えることができる。
【００４８】
また、背中支持部４０の両側部４７Ｒ，４７Ｌは、中央部４７Ｃより低く形成されているので、使用者の上碗部が背中支持部４０の両側部４７Ｒ，４７Ｌに当接することなく、両側部４７Ｒ，４７Ｌは、使用者の脇の下となる体側を支持することができ、使用者を包み込むように安定的に支持することができる。
【００４９】
なお、本発明は、前述した実施の形態に限定されるものではなく、必要に応じて種々の変更が可能である。
【図面の簡単な説明】
【００５０】
【図１】本発明に係るトレーニング装置の実施形態を示す斜視図
【図２】図１の実施形態における駆動系統を示す右前方からの斜視図
【図３】図２の左側面図
【図４】図１の実施形態における腰掛けのクッションを取り除いた左前方からの斜視図
【図５】図４の腰掛けにクッションを設けた図
【図６】図４のフロントパッドを除去した拡大図
【図７】図４のフロントパッドの拡大図
【図８】図１の実施形態における背中支持部の正面図
【図９】図８の平面図
【図１０】図１の実施形態におけるモータの駆動を制御するための制御部のブロック図
【図１１】従来のトレーニング装置を示す斜視図
【符号の説明】
【００５１】
１  装置本体
２  腰掛け
３  座部
４  腰支持部
６  フロントパッド
８  鉛直方向軸
９，９Ｒ，９Ｌ  ハンドル  
２０  回動軸
２４  円筒形穴
２９Ａ，２９Ｂ  回動筒
３０，３７Ｒ，３７Ｌ  リンク
３２  モータ
３３  モータ３２の回転軸
３５Ｒ，３５Ｌ  偏心ピン
４０  背中支持部
４２  支持部
４３，４３Ｃ，４３Ｒ，４３Ｌ  支持面
４７Ｃ  背中支持部４０の中央部
４７Ｒ，４７Ｌ  背中支持部４０の側部
５０  ＣＰＵ
５１  演算司令部
５３  スイッチ
５４  検出部